(57)【要約】【課題】印加部が、画像が転写された媒体を挟んで第二極性の電圧を印加する際に、媒体上の画像の極性が第一極性のままである場合に比べ、媒体上の画像が印加部へ転移するのを抑制する。【解決手段】画像形成装置は、保持体に保持された画像を転写電圧の印加により媒体に順次転写する複数の転写部と、前記複数の転写部の間に配置され、前記媒体に転写された第一極性の画像を非接触で前記第一極性とは逆の第二極性に帯電させる帯電部と、前記間における前記帯電部の下流側に配置され、前記第二極性に帯電された前記画像が転写された前記媒体を挟んで、第二極性の電圧を印加する印加部と、を備える。【選択図】図１
2019020480.tif 000002
【特許請求の範囲】
【請求項１】
保持体に保持された画像を転写電圧の印加により媒体に順次転写する複数の転写部と、
前記複数の転写部の間に配置され、前記媒体に転写された第一極性の画像を非接触で前記第一極性とは逆の第二極性に帯電させる帯電部と、
前記間における前記帯電部の下流側に配置され、前記第二極性に帯電された前記画像が転写された前記媒体を挟んで、第二極性の電圧を印加する印加部と、
を備える画像形成装置。
【請求項２】
前記間における前記印加部の下流側に配置され、前記印加部によって第二極性の電圧が印加された媒体上の画像を非接触で前記第一極性に帯電させる他の帯電部
を備える請求項１に記載の画像形成装置。
【請求項３】
前記印加部は、前記印加部の直上流の前記転写部が印加する電圧の絶対値よりも小さい絶対値の電圧を印加する
請求項１又は２に記載の画像形成装置。
【請求項４】
前記転写部は、前記媒体の搬送方向に沿って四つ設けられ、
前記印加部及び前記帯電部は、四つの前記転写部のうち、前記搬送方向の下流側に向かって二つ目の前記転写部と三つ目の前記転写部との間に配置されている
請求項１〜３のいずれか１項に記載の画像形成装置。
【請求項５】
前記四つの転写部のうち、前記搬送方向の下流側に向かって一つ目の前記転写部と二つ目の前記転写部との間、及び、三つ目の前記転写部と四つ目の前記転写部との間には、前記印加部及び前記帯電部が配置されていない
請求項４に記載の画像形成装置。
【請求項６】
前記複数の転写部を構成し、前記印加部及び前記帯電部が直上流に配置されておらず、前記保持体に保持された一の画像を前記媒体に二番目以後に転写する転写部と、
前記転写部によって前記媒体に二番目以後に転写される一の画像の表面電位を前記保持体上で測定する測定部と、
前記一の画像の転写までに前記媒体に転写された他の画像及び前記媒体の電荷量と、前記測定部で測定された表面電位と、前記保持体の表面層及び前記一の画像の合成静電容量と、に基づき、前記一の画像が転写される際の転写電圧値を設定する設定部と、
を備える請求項１〜５のいずれか１項に記載の画像形成装置。
【請求項７】
前記他の画像の表面電位を測定する他の測定部を備え、
前記設定部は、前記他の測定部で測定された表面電位と、前記他の画像と前記媒体との合成静電容量とに基づき、前記電荷量を求める
請求項６に記載の画像形成装置。
【請求項８】
前記転写部は、前記媒体の画像領域外に前記他の画像を転写し、
前記他の測定部は、前記媒体の画像領域外に転写された前記他の画像の表面電位を測定する
請求項７に記載の画像形成装置。
【発明の詳細な説明】
【技術分野】
【０００１】
本発明は、画像形成装置に関する。
【背景技術】
【０００２】
特許文献１には、複数個の感光体ドラムに原稿の色分解した光像を露光して静電潜像を形成し、静電潜像を現像した色別のトナー像を誘電体ベルトよりなる搬送ベルトにより搬送される紙に順次重ね転写する多色電子写真複写機の転写方法において、感光体ドラムに搬送ベルト及び紙を間にして対向配置された転写チャージャーによるコロナ放電下に感光体ドラムのトナー像を紙に転写し、転写後の紙及びベルトの両側から交流又は直流電圧印加された除電チャージャーによりコロナ放電することにより紙及びベルトの残留電荷を除電することを特徴とする多色電子写真複写機の転写方法が開示されている。
【先行技術文献】
【特許文献】
【０００３】
【特許文献１】特公昭６２−０５２２９６号公報
【発明の概要】
【発明が解決しようとする課題】
【０００４】
ここで、保持体に保持された画像を転写電圧の印加により媒体に順次転写する構成において、印加部が、第一極性の画像が転写された媒体を複数の転写部の間で挟んで、第一極性とは逆の第二極性の電圧を印加する場合では、媒体上の現像剤が印加部へ転移されるおそれがある。
【０００５】
本発明は、印加部が、画像が転写された媒体を挟んで第二極性の電圧を印加する際に、媒体上の画像の極性が第一極性のままである場合に比べ、媒体上の画像が印加部へ転移するのを抑制することを目的とする。
【課題を解決するための手段】
【０００６】
請求項１の発明は、保持体に保持された画像を転写電圧の印加により媒体に順次転写する複数の転写部と、前記複数の転写部の間に配置され、前記媒体に転写された第一極性の画像を非接触で前記第一極性とは逆の第二極性に帯電させる帯電部と、前記間における前記帯電部の下流側に配置され、前記第二極性に帯電された前記画像が転写された前記媒体を挟んで、第二極性の電圧を印加する印加部と、を備える。
【０００７】
請求項２の発明は、前記間における前記印加部の下流側に配置され、前記印加部によって第二極性の電圧が印加された媒体上の画像を非接触で前記第一極性に帯電させる他の帯電部を備える。
【０００８】
請求項３の発明では、前記印加部は、前記印加部の直上流の前記転写部が印加する電圧の絶対値よりも小さい絶対値の電圧を印加する。
【０００９】
請求項４の発明では、前記転写部は、前記媒体の搬送方向に沿って四つ設けられ、前記印加部及び前記帯電部は、四つの前記転写部のうち、前記搬送方向の下流側に向かって二つ目の前記転写部と三つ目の前記転写部との間に配置されている。
【００１０】
請求項５の発明では、前記四つの転写部のうち、前記搬送方向の下流側に向かって一つ目の前記転写部と二つ目の前記転写部との間、及び、三つ目の前記転写部と四つ目の前記転写部との間には、前記印加部及び前記帯電部が配置されていない。
【００１１】
請求項６の発明は、前記複数の転写部を構成し、前記印加部及び前記帯電部が直上流に配置されておらず、前記保持体に保持された一の画像を前記媒体に二番目以後に転写する転写部と、前記転写部によって前記媒体に二番目以後に転写される一の画像の表面電位を前記保持体上で測定する測定部と、前記一の画像の転写までに前記媒体に転写された他の画像及び前記媒体の電荷量と、前記測定部で測定された表面電位と、前記保持体の表面層及び前記一の画像の合成静電容量と、に基づき、前記一の画像が転写される際の転写電圧値を設定する設定部と、を備える。
【００１２】
請求項７の発明は、前記他の画像の表面電位を測定する他の測定部を備え、前記設定部は、前記他の測定部で測定された表面電位と、前記他の画像と前記媒体との合成静電容量とに基づき、前記電荷量を求める。
【００１３】
請求項８の発明では、前記転写部は、前記媒体の画像領域外に前記他の画像を転写し、前記他の測定部は、前記媒体の画像領域外に転写された前記他の画像の表面電位を測定する。
【発明の効果】
【００１４】
本発明の請求項１の構成によれば、印加部が、画像が転写された媒体を挟んで第二極性の電圧を印加する際に、媒体上の画像の極性が第一極性のままである場合に比べ、媒体上の画像が印加部へ転移するのを抑制できる。
【００１５】
本発明の請求項２の構成によれば、印加部の下流で媒体に転写される保持体上の画像の極性が第一極性である場合において、印加部によって第二極性の電圧が印加された媒体上の画像の極性が第二極性のままである場合に比べ、媒体上の画像が保持体へ転移されるのが抑制される。
【００１６】
本発明の請求項３の構成によれば、印加部が、印加部の直上流の転写部が印加する電圧の絶対値以上の絶対値の電圧を印加する場合に比べ、印加部で電圧が印加された後の媒体の表面電位を小さくできる。
【００１７】
本発明の請求項４の構成によれば、印加部及び帯電部が搬送方向下流側に向かって１つ目の転写部と二つ目の転写部との間にのみ配置される場合や、印加部及び帯電部が搬送方向下流側に向かって三つ目の転写部と四つ目の転写部との間にのみ配置される場合に比べ、各転写部での転写電圧の印加後における媒体の表面電位のバラつきを抑制できる。
【００１８】
本発明の請求項５の構成によれば、印加部及び帯電部が搬送方向下流側に向かって１つ目の転写部と二つ目の転写部との間にも配置される場合や、印加部及び帯電部が搬送方向下流側に向かって三つ目の転写部と四つ目の転写部との間にも配置される場合に比べ、簡易な構成で、各転写部での転写電圧の印加後における媒体の表面電位のバラつきを抑制できる。
【００１９】
本発明の請求項６の構成によれば、一の画像の転写までに転写された他の画像と媒体との電荷量のみに基づき、一の画像が転写される際の転写電圧値を設定する場合に比べ、転写不良を抑制できる。
【００２０】
本発明の請求項７の構成によれば、予め記憶された記憶情報を用いて他の画像及び媒体の電荷量を求める場合に比べ、転写不良を抑制できる。
【００２１】
本発明の請求項８の構成によれば、媒体の画像領域に転写された他の画像の表面電位を測定する場合に比べ、表面電位の測定の対象となる他の画像を該測定に適合したものとすることができる。
【図面の簡単な説明】
【００２２】
【図１】第一実施形態に係る画像形成装置の構成を示す概略図である。
【図２】各転写ユニットにおけるトナー画像の転写後における記録媒体の表面電位を示すグラフである。
【図３】トナー画像の転写ごとに記録媒体の表面電位が上昇する場合において、各転写ユニットにおける転写電圧の転写電圧値が一定（同じ）である場合における転写画像の画像濃度を示すグラフである。
【図４】（Ａ）転写ロールとバックアップロールの電位を示す模式図であり、（Ｂ）記録媒体の表面電位を示す模式図である。
【図５】（Ａ）第一帯電部の電位を示す模式図であり、（Ｂ）印加部の第一ロールと第二ロールの電位を示す模式図である。
【図６】（Ａ）記録媒体の表面電位を示す模式図であり、（Ｂ）第二帯電部の電位を示す模式図である。
【図７】（Ａ）記録媒体の表面電位を示す模式図であり、（Ｂ）転写ロールとバックアップロールの電位を示す模式図である。
【図８】各転写ユニットにおいて、記録媒体の表面電位の上昇分を上乗せした転写電圧を印加する場合の転写電圧値を示すグラフである。
【図９】第二実施形態に係る画像形成装置の構成を示す概略図である。
【図１０】転写電圧値を設定する際における各部の電荷量等を模式的に示す模式図である。
【発明を実施するための形態】
【００２３】
以下に、本発明に係る実施形態の一例を図面に基づき説明する。
【００２４】
＜第一実施形態＞
（画像形成装置１０）
まず、本実施形態に係る画像形成装置１０の構成を説明する。図１は、本実施形態に係る画像形成装置１０の構成を示す概略図である。
【００２５】
図１に示されるように、画像形成装置１０は、記録媒体Ｐ（媒体の一例）を矢印Ａ方向に搬送する搬送部１７と、搬送部１７で搬送される記録媒体Ｐにトナー画像（画像の一例）を形成する画像形成部１４と、トナー画像を記録媒体Ｐに定着する定着装置１６と、を備えている。
【００２６】
（搬送部１７）
搬送部１７が搬送する記録媒体Ｐとしては、搬送方向に長さを有する長尺状の記録媒体Ｐが用いられる。また、記録媒体Ｐとしては、用紙に限られず、樹脂材料で形成されたフィルムなどであってもよい。なお、記録媒体Ｐとしては、予め定められた大きさに切断された記録媒体、例えば、枚葉紙（カット紙）であってもよい。
【００２７】
搬送部１７は、記録媒体Ｐを巻き出す巻出ロール７２と、記録媒体Ｐを巻き取る巻取ロール７４と、記録媒体Ｐが巻き掛けられた複数の巻掛ロール７７と、を有している。巻取ロール７４は、駆動部（図示省略）によって回転駆動される。これにより、巻取ロール７４が記録媒体Ｐを巻き取ると共に、巻出ロール７２が記録媒体Ｐを巻き出す。
【００２８】
複数の巻掛ロール７７は、巻出ロール７２と巻取ロール７４との間で、記録媒体Ｐに巻き掛けられている。これにより、巻出ロール７２から巻取ロール７４までの記録媒体Ｐの搬送経路が定められている。複数の巻掛ロール７７は、巻取ロール７４が記録媒体Ｐを巻き取ることで、巻取ロール７４側へ進行する記録媒体Ｐに従動回転する。
【００２９】
（定着装置１６）
定着装置１６は、記録媒体Ｐを加熱する加熱ロール６２と、記録媒体Ｐを加圧する加圧ロール６４と、を有している。定着装置１６では、記録媒体Ｐを加熱ロール６２と加圧ロール６４との間に挟んで、記録媒体Ｐを加熱しながら加圧し、記録媒体Ｐ上のトナー画像を記録媒体Ｐに定着させる。
【００３０】
（画像形成部１４）
画像形成部１４は、イエロー（Ｙ）、マゼンタ（Ｍ）、シアン（Ｃ）、ブラック（Ｋ）の各色のトナー画像を形成するトナー画像形成部１４Ｙ、１４Ｍ、１４Ｃ、１４Ｋを有している。トナー画像形成部１４Ｙ、１４Ｍ、１４Ｃ、１４Ｋ（以下、１４Ｙ〜１４Ｋという）は、記録媒体Ｐの搬送方向の上流側から下流側へ向けて、この順番で配置されている。
【００３１】
各トナー画像形成部１４Ｙ〜１４Ｋは、画像形成ユニット１８と、転写ユニット５０と、を備えている。なお、各トナー画像形成部１４Ｙ〜１４Ｋは、用いるトナーを除き同様に構成されている。また、図１では、用いるトナーの色に応じて、画像形成ユニット１８、転写ユニット５０、及び各転写ユニット５０Ｙ〜５０Ｋの各部に、Ｙ、Ｍ、Ｃ、Ｋの符号を適宜付している。
【００３２】
（画像形成ユニット１８）
各画像形成ユニット１８Ｙ、１８Ｍ、１８Ｃ、１８Ｋ（以下、１８Ｙ〜１８Ｋという）は、液体現像剤を用いてトナー画像を形成するユニットである。具体的には、図１に示されるように、各画像形成ユニット１８Ｙ〜１８Ｋは、回転する感光体ドラム２２と、感光体ドラム２２を帯電する帯電装置２４と、感光体ドラム２２に露光光を照射して静電潜像を形成する露光装置２６と、感光体ドラム２２上の静電潜像を現像してトナー画像を形成する現像装置４０と、を有している。
【００３３】
なお、各画像形成ユニット１８Ｙ〜１８Ｋは、用いるトナーを除き同様に構成されているので、図１において、画像形成ユニット１８Ｍ、１８Ｃ、１８Ｋの各部の符号を省略している。
【００３４】
現像装置４０は、現像ロール４２（現像体）を有している。現像ロール４２は、感光体ドラム２２に形成された静電潜像を、キャリア液にトナー（粒子）が分散された液体現像剤により現像するロールである。具体的には、現像ロール４２は、液体現像剤に浸漬された供給ロール（図示省略）から液体現像剤が供給されて、当該液体現像剤を外周面に保持する。この現像ロール４２は、感光体ドラム２２に従動して回転する。
【００３５】
現像ロール４２に保持された液体現像剤は、現像ロール４２から感光体ドラム２２へ供給される。当該液体現像剤によって、感光体ドラム２２の静電潜像が現像されてトナー画像が形成される。したがって、イエロー（Ｙ）、マゼンタ（Ｍ）、シアン（Ｃ）、ブラック（Ｋ）の各色のトナー画像は、各色の現像剤（トナー）による現像剤層によって構成されている。
【００３６】
（転写ユニット５０）
各転写ユニット５０Ｙ、５０Ｍ、５０Ｃ、５０Ｋ（以下、５０Ｙ〜５０Ｋという）は、各画像形成ユニット１８Ｙ〜１８Ｋで形成されたトナー画像を記録媒体Ｐに転写するユニットである。具体的には、各転写ユニット５０Ｙ〜５０Ｋは、転写ロール５２（保持体の一例）と、バックアップロール５４（転写部の一例）と、印加手段５６と、を有している。
【００３７】
各転写ロール５２Ｙ、５２Ｍ、５２Ｃ、５２Ｋ（以下、５２Ｙ〜５２Ｋという）は、外周面の一部が各感光体ドラム２２の外周面の一部に接触して回転する構成とされている。この各転写ロール５２Ｙ〜５２Ｋと各感光体ドラム２２との間には、印加手段（図示省略）によって転写電圧が印加される。これにより、各転写ロール５２Ｙ〜５２Ｋと各感光体ドラム２２との間に転写電界が形成されて、各感光体ドラム２２に形成されたトナー画像に対して静電力が作用し、当該トナー画像が各転写ロール５２Ｙ〜５２Ｋに転写される。そして、各転写ロール５２Ｙ〜５２Ｋは、転写されたトナー画像を外周面に保持する。
【００３８】
各バックアップロール５４は、搬送部１７で搬送されている記録媒体Ｐに対する各転写ロール５２とは反対側に配置されている。各印加手段５６Ｙ、５６Ｍ、５６Ｃ、５６Ｋ（以下、５６Ｙ〜５６Ｋという）は、各転写ロール５２Ｙ〜５２Ｋと各バックアップロール５４との間に転写電圧を印加する。
【００３９】
本実施形態では、記録媒体Ｐに転写される画像が、正極性（第一極性の一例）に帯電しているため、各印加手段５６Ｙ〜５６Ｋは、転写ロール５２側が正極性の電位を有するように、転写ロール５２Ｙ〜５２Ｋと各バックアップロール５４との間で転写電圧が印加する。
【００４０】
これにより、各転写ロール５２Ｙ〜５２Ｋと各バックアップロール５４との間に転写電界が形成されて、各転写ロール５２Ｙ〜５２Ｋに保持されたトナー画像に対して静電力が作用し、当該トナー画像が転写位置で記録媒体Ｐに転写される。
【００４１】
このように、画像形成装置１０では、各転写ロール５２Ｙ〜５２Ｋに保持されたトナー画像が、各転写ロール５２Ｙ〜５２Ｋと各バックアップロール５４との間での転写電圧の印加により、記録媒体Ｐに順次転写される。具体的には、各転写ロール５２Ｙ〜５２Ｋの保持されたトナー画像が、イエロー（Ｙ）、マゼンタ（Ｍ）、シアン（Ｃ）、ブラック（Ｋ）の順番で、記録媒体Ｐに重ねて転写される。
【００４２】
ここで、各印加手段５６Ｙ〜５６Ｋによって、各転写ロール５２Ｙ〜５２Ｋと各バックアップロール５４との間で転写電圧が印加されると、図２に示されるように、記録媒体Ｐの種類によっては、記録媒体Ｐが帯電して記録媒体Ｐの表面電位が上昇する場合がある。なお、記録媒体Ｐとして、樹脂材料で形成されたフィルムを用いた場合に記録媒体Ｐの表面電位が上昇しやすい。また、本実施形態では、転写ロール５２側が正極性の電位を有するように、転写ロール５２Ｙ〜５２Ｋと各バックアップロール５４との間に転写電圧が印加されて、正極性に帯電している画像が記録媒体Ｐに転写されるため、記録媒体Ｐは、正極性に帯電する（図４（Ａ）（Ｂ）参照）。
【００４３】
そして、記録媒体Ｐの表面電位が上昇すると、転写効率が低下するため、各印加手段５６Ｙ〜５６Ｋが印加する転写電圧の転写電圧値が、一定（同じ）である場合では、図３に示されるように、記録媒体Ｐの搬送方向下流側に配置された転写ユニット５０Ｍ、５０Ｃ、５０Ｋほど、画像濃度が低下し、目標値よりを下回る場合がある。なお、図３では、説明のために各色Ｙ、Ｍ、Ｃ、Ｋの濃度目標値に対して、相対的な濃度値の大小を示しており、各色Ｙ、Ｍ、Ｃ、Ｋにおける反射濃度値は個別に設定するもので構わない。
【００４４】
そこで、画像形成装置１０では、帯電した記録媒体Ｐに逆極性（負極性）の電荷を付与して、記録媒体Ｐの表面電位を調整する。以下、具体的な構成について説明する。
【００４５】
画像形成装置１０は、図１に示されるように、転写ユニット５０Ｍと転写ユニット５０Ｃとの間に配置された第一帯電部８１（帯電部の一例）、印加部９０及び第二帯電部８２（他の帯電部の一例）を有している。
【００４６】
印加部９０は、記録媒体Ｐの画像面（上面）に接触する第一ロール９１と、記録媒体Ｐの非画像面（下面）に接触する第二ロール９２と、電源等を有する印加手段９８と、を有している。
【００４７】
第一ロール９１及び第二ロール９２は、記録媒体Ｐの幅方向（搬送方向及び厚み方向に対して交差する方向）の一端部から他端部にわたる軸方向長さを有している。これにより、第一ロール９１及び第二ロール９２は、記録媒体Ｐの幅方向の一端部から他端部にわたって記録媒体Ｐを挟んでいる。
【００４８】
印加手段９８は、第一ロール９１側が負極性の電位を有するように、第一ロール９１と第二ロール９２との間に電圧を印加する（図５（Ｂ）参照）。すなわち、印加手段９８は、第一ロール９１側が、転写ロール５２に保持された状態のトナー画像とは逆極性（負極性）の電圧を、第一ロール９１と第二ロール９２との間に印加する。
【００４９】
このように、印加部９０では、トナー画像が転写された記録媒体Ｐを挟んで、負極性（第二極性の一例）の電圧を印加し、トナー画像及び記録媒体Ｐを負極性に帯電させる。
【００５０】
第一帯電部８１は、転写ユニット５０Ｍと転写ユニット５０Ｃとの間における第一ロール９１及び第二ロール９２に対する搬送方向上流側に配置されている。この第一帯電部８１は、コロナ放電を用いた帯電器で構成されている。第一帯電部８１では、記録媒体Ｐに転写されたイエロー及びマゼンタのトナー画像を非接触で負極性に帯電させる（図５（Ａ）参照）。
【００５１】
第二帯電部８２は、転写ユニット５０Ｍと転写ユニット５０Ｃとの間における第一ロール９１及び第二ロール９２に対する搬送方向下流側に配置されている。この第二帯電部８２は、コロナ放電を用いた帯電器で構成されている。第二帯電部８２では、印加部９０によって負極性の電圧が印加された記録媒体Ｐ上のイエロー及びマゼンタのトナー画像を非接触で正極性に帯電させる（図６（２）参照）。
【００５２】
以上のように、第一帯電部８１、印加部９０及び第二帯電部８２は、記録媒体Ｐの搬送方向に沿って四つ設けられた転写ユニット５０のうち、記録媒体Ｐの搬送方向下流側に向かって二つ目の転写ユニット５０Ｍと三つ目の転写ユニット５０Ｃとの間に配置されている。なお、第一帯電部８１、印加部９０及び第二帯電部８２は、一つ目の転写ユニット５０Ｙと二つ目の転写ユニット５０Ｍとの間、及び、三つ目の転写ユニット５０Ｃと四つ目の転写ユニット５０Ｋとの間には、配置されていない。また、第一帯電部８１、第二帯電部８２に対して、記録媒体Ｐの背面に電界を形成する電極を配置する構成としてもよい。
【００５３】
（第一実施形態に係る作用）
本実施形態に係る画像形成装置１０によれば、転写ユニット５０Ｙにおいて、印加手段５６Ｙが、各転写ロール５２Ｙ側が正極性の電位を有するように、転写ロール５２Ｙとバックアップロール５４との間に転写電圧を印加する（図１参照）。
【００５４】
これにより、正極性に帯電しているイエローのトナー画像が転写ロール５２Ｙから記録媒体Ｐへ転写される。
【００５５】
次に、転写ユニット５０Ｍにおいて、印加手段５６Ｍが、転写ロール５２Ｍ側が正極性の電位を有するように、転写ロール５２Ｍとバックアップロール５４との間に転写電圧を印加する。このときの転写ロール５２Ｙの電位は、図４（Ａ）に示されるように、一例として＋３０００Ｖとされる。
【００５６】
これにより、図４（Ｂ）に示されるように、正極性に帯電しているマゼンタのトナー画像が転写ロール５２Ｍから記録媒体Ｐへ転写される。マゼンタのトナー画像が転写された記録媒体Ｐの表面電位は、一例として、＋１５００Ｖとなる。
【００５７】
次に、図５（Ａ）に示されるように、第一帯電部８１が、記録媒体Ｐに転写されたイエロー及びマゼンタのトナー画像を非接触で負極性に帯電させる。このとき、第一帯電部８１の電位は、一例として−４０００Ｖとされる。
【００５８】
次に、図５（Ｂ）に示されるように、印加部９０において、印加手段９８が、第一ロール９１側が負極性の電位を有するように、第一ロール９１と第二ロール９２との間に電圧を印加する。このときの第一ロール９１の電位は、一例として、−５００Ｖとされる。
【００５９】
この結果、正極性に帯電していた記録媒体Ｐに負極性の電荷が付与されて、記録媒体Ｐの極性が反転する。図６（Ａ）に示されるように、記録媒体Ｐの表面電位は、一例として、−２５０Ｖとなる。なお、印加部９０が印加する電圧の絶対値（５００）は、印加部９０の直上流に配置された転写ユニット５０Ｍにおいて印加される転写電圧の絶対値（３０００）よりも小さくされている。
【００６０】
次に、図６（Ｂ）に示されるように、第二帯電部８２が、記録媒体Ｐ上のイエロー及びマゼンタのトナー画像を非接触で正極性に帯電させる。このとき、第二帯電部８２の電位は、一例として＋４０００Ｖとされる。
【００６１】
この結果、図７（Ａ）に示されるように、記録媒体Ｐの表面電位は、一例として、＋２００Ｖとなる。このように、第一帯電部８１、印加部９０及び第二帯電部８２の作用により、マゼンタのトナー画像が転写された後の記録媒体Ｐの表面電位を低下させる（＋１５００Ｖ→＋２００Ｖ）。
【００６２】
次に、転写ユニット５０Ｃにおいて、印加手段５６Ｃが、転写ロール５２Ｃ側が正極性の電位を有するように、転写ロール５２Ｃとバックアップロール５４との間に転写電圧を印加する。このときの転写ロール５２Ｃの電位は、図７（Ｂ）に示されるように、一例として＋３２００Ｖとされる。
【００６３】
これにより、正極性に帯電しているシアンのトナー画像が転写ロール５２Ｃから記録媒体Ｐへ転写される。
【００６４】
さらに、転写ユニット５０Ｋにおいて、印加手段５６Ｋが、各転写ロール５２Ｋ側が正極性の電位を有するように、転写ロール５２Ｋとバックアップロール５４との間に転写電圧を印加する（図１参照）。
【００６５】
これにより、正極性に帯電しているブラックのトナー画像が転写ロール５２Ｋから記録媒体Ｐへ転写される。
【００６６】
そして、定着装置１６において、記録媒体Ｐを加熱ロール６２と加圧ロール６４との間に挟んで、記録媒体Ｐを加熱しながら加圧し、記録媒体Ｐ上のトナー画像を記録媒体Ｐに定着させる。以上のように、記録媒体Ｐにトナー画像が形成される。
【００６７】
本実施形態では、前述のように、第一帯電部８１、印加部９０及び第二帯電部８２の作用により、マゼンタのトナー画像が転写された後の記録媒体Ｐの表面電位を低下させる（＋１５００Ｖ→＋２００Ｖ）。
【００６８】
ここで、マゼンタのトナー画像が転写された後の記録媒体Ｐの表面電位が低下されずに、記録媒体Ｐの表面電位が上昇した状態が維持される構成（比較例）では、各転写ユニット５０Ｍ、５０Ｃ、５０Ｋにおいて、図８に示されるように、転写画像の濃度を維持するためには、記録媒体Ｐの表面電位の上昇分を上乗せした転写電圧を印加する必要がある。図８では、矢印にて、上乗せられた転写電圧の転写電圧値が示されている。
【００６９】
各転写ユニット５０Ｍ、５０Ｃ、５０Ｋにおいて、印加する転写電圧が高電圧となると、高電圧用の電源が必要になり、また、ユニット内の接地部との間で放電が生じる原因ともなる。特に、４色を超える色数分、転写ユニット５０をさらに増やして、高電圧の転写電圧を印加していくことには限界がある。
【００７０】
これに対して、本実施形態では、マゼンタのトナー画像が転写された後の記録媒体Ｐの表面電位を低下させるので、前述の比較例に比べ、印加手段５６Ｃが印加する転写電圧を低下させても、シアンのトナー画像の濃度が維持される。
【００７１】
また、本実施形態では、記録媒体Ｐを挟む第一ロール９１及び第二ロール９２による電圧印加の前に、第一帯電部８１が、記録媒体Ｐに転写されたイエロー及びマゼンタのトナー画像を非接触で負極性に帯電させる。
【００７２】
このため、記録媒体Ｐを挟む第一ロール９１及び第二ロール９２による電圧印加の際に、記録媒体Ｐ上のトナー画像の極性が正極性のままである場合に比べ、記録媒体Ｐ上のトナー画像のトナーが、第一ロール９１及び第二ロール９２へ転移するのが抑制される。
【００７３】
さらに、本実施形態では、第二帯電部８２が、記録媒体Ｐ上のイエロー及びマゼンタのトナー画像を非接触で正極性に帯電させる。
【００７４】
これにより、記録媒体Ｐのトナー画像の極性が負極性のままである場合に比べ、記録媒体Ｐのトナー画像が転写ロール５２Ｃへ転移されるのが抑制される。
【００７５】
また、本実施形態では、印加部９０の直上流に配置された転写ユニット５０Ｍにおいて印加される転写電圧の絶対値（３０００）よりも、印加部９０において印加する電圧の絶対値（５００）が小さくされている。
【００７６】
これにより、印加部９０が、転写ユニット５０Ｍが印加する電圧の絶対値以上の絶対値の電圧を印加する場合に比べ、印加部９０で電圧が印加された後の記録媒体Ｐの表面電位が小さくなる。
【００７７】
また、本実施形態では、第一帯電部８１、印加部９０及び第二帯電部８２は、記録媒体Ｐの搬送方向に沿って四つ設けられた転写ユニット５０のうち、記録媒体Ｐの搬送方向下流側に向かって二つ目の転写ユニット５０Ｍと三つ目の転写ユニット５０Ｃとの間に配置されている。
【００７８】
このため、四つの転写ユニット５０Ｙ〜５０Ｋの中間で、二つの転写ユニット５０Ｙ、５０Ｍでの転写電圧の印加により表面電位が上昇した記録媒体Ｐの表面電位が低下される。したがって、第一帯電部８１、印加部９０及び第二帯電部８２が、転写ユニット５０Ｙと転写ユニット５０Ｍとの間にのみ配置される場合や、第一帯電部８１、印加部９０及び第二帯電部８２が、転写ユニット５０Ｃと転写ユニット５０Ｋとの間にのみ配置される場合に比べ、各転写ユニット５０Ｙ〜５０Ｋでの転写電圧の印加後における記録媒体Ｐの表面電位のバラつきが抑制される。
【００７９】
また、本実施形態では、記録媒体Ｐの搬送方向下流側に向かって、一つ目の転写ユニット５０Ｙと二つ目の転写ユニット５０Ｍとの間、及び、三つ目の転写ユニット５０Ｃと四つ目の転写ユニット５０Ｋとの間には、第一帯電部８１、印加部９０及び第二帯電部８２が配置されていない。
【００８０】
このため、第一帯電部８１、印加部９０及び第二帯電部８２が、転写ユニット５０Ｙと転写ユニット５０Ｍとの間にも配置される場合や、第一帯電部８１、印加部９０及び第二帯電部８２が、転写ユニット５０Ｃと転写ユニット５０Ｋとの間にも配置される場合に比べ、簡易な構成で、各転写ユニット５０Ｙ〜５０Ｋでの転写電圧の印加後における記録媒体Ｐの表面電位のバラつきが抑制される。
【００８１】
（変形例）
画像形成装置１０では、第一帯電部８１、印加部９０及び第二帯電部８２は、記録媒体Ｐの搬送方向に沿って四つ設けられた転写ユニット５０のうち、記録媒体Ｐの搬送方向下流側に向かって二つ目の転写ユニット５０Ｍと三つ目の転写ユニット５０Ｃとの間に配置されていたが、これに限られない。例えば、第一帯電部８１、印加部９０及び第二帯電部８２は、転写ユニット５０Ｍと転写ユニット５０Ｃとの間に加えて、又は替えて、転写ユニット５０Ｙと転写ユニット５０Ｍとの間や、転写ユニット５０Ｃと転写ユニット５０Ｋとの間に配置されていてもよい。すなわち、第一帯電部８１、印加部９０及び第二帯電部８２は、各転写ユニット５０Ｙ〜５０Ｋの間の少なくとも１つに配置されていればよい。
【００８２】
また、画像形成装置１０は、第二帯電部８２を備えていたが、これに限られない。画像形成装置１０としては、例えば、転写ロール５２Ｃ上のシアンのトナー画像が負極性に帯電する構成の場合には、第二帯電部８２を備えていない構成であってもよい。
【００８３】
画像形成装置１０では、液体現像剤を用いたがこれに限られない。画像形成装置としては、例えば、粉状の現像剤を用いた乾式の画像形成装置であってもよい。
【００８４】
画像形成装置１０では、感光体ドラム２２から転写ロール５２に転写されたトナー画像を記録媒体Ｐに転写していたが、これに限られない。感光体ドラム２２に形成されたトナー画像を直接、記録媒体Ｐに転写する構成であってもよい。この場合では、感光体ドラム２２が、画像を保持する保持体の一例として機能する。
【００８５】
＜第二実施形態＞
次に、第二実施形態に係る画像形成装置２００について説明する。なお、第一実施形態と同一機能を有する部分については、同一符号を付して、適宜、説明を省略する。
【００８６】
画像形成装置２００では、図９に示されるように、転写ユニット５０Ｍ、５０Ｋは、設定部５８と、第一表面電位計１１（測定部の一例）と、第二表面電位計１２（他の測定部の一例）と、を有している。
【００８７】
なお、転写ユニット５０Ｍ、５０Ｋは、転写ユニット５０Ｙ〜５０Ｋのうち、第一帯電部８１、印加部９０及び第二帯電部８２が直上流に配置されていない転写ユニットであって、且つ、記録媒体Ｐの搬送方向下流側に向かって二つ目以降の転写ユニットである。すなわち、転写ユニット５０Ｍ、５０Ｋは、転写ロール５２に保持されたトナー画像を、記録媒体Ｐに二番目以後に転写する転写ユニットである。
【００８８】
各第一表面電位計１１Ｍ、１１Ｋは、各転写ロール５２Ｍ、５２Ｋ上に保持されたトナー画像の表面電位を測定する機能を有している。すなわち、各第一表面電位計１１Ｍ、１１Ｋは、記録媒体Ｐに二番目以後に転写されるマゼンタ（Ｍ）、ブラック（Ｋ）のトナー画像（一の画像の一例）の表面電位を各転写ロール５２Ｍ、５２Ｋ上で測定する機能を有している。
【００８９】
各第二表面電位計１２Ｍ、１２Ｋは、記録媒体Ｐに転写されたイエロー（Ｙ）、マゼンタ（Ｍ）、シアン（Ｃ）のトナー画像の表面電位を記録媒体Ｐ上で測定する機能を有している。具体的には、各第二表面電位計１２Ｍ、１２Ｋは、マゼンタ（Ｍ）、ブラック（Ｋ）のトナー画像（一の画像の一例）の転写までに記録媒体Ｐに転写されたイエロー（Ｙ）、マゼンタ（Ｍ）、シアン（Ｃ）のトナー画像（他の画像の一例）の表面電位を測定する機能を有している。
【００９０】
本実施形態では、記録媒体Ｐの画像領域に転写されるトナー画像とは別に、記録媒体Ｐの画像領域外に、表面電位を測定するための専用のトナー画像（以下、測定用画像という）が転写される。すなわち、各画像形成ユニット１８Ｍ、１８Ｋでは、画像形成装置１０の操作者（利用者）の要求によるトナー画像（以下、要求画像という）とは別に、感光体ドラム２２の予め定められた位置に測定用画像を形成する。この要求画像及び測定用画像は、転写ロール５２に転写されて、転写ロール５２に保持された後、転写ロール５２から記録媒体Ｐの画像領域と画像領域外とにそれぞれ転写される。測定用画像は、例えば、記録媒体Ｐの画像形成領域に対する幅方向（搬送方向及び厚み方向に対して交差する方向）の一端部及び他端部の少なくとも一方の画像形成領域外に転写される。各第二表面電位計１２Ｍ、１２Ｋは、記録媒体Ｐの画像形成領域外に転写された測定用画像の表面電位を測定する。
【００９１】
そして、設定部５８Ｍは、記録媒体Ｐに転写されたイエロー（Ｙ）のトナー画像及び記録媒体Ｐの電荷量と、第一表面電位計１１Ｍで測定された表面電位Ｖｄと、転写ロール５２Ｍの表面層及びマゼンタ（Ｍ）のトナー画像の合成静電容量Ｃｄと、に基づき、印加手段５６Ｍの転写電圧値Ｖｂを設定する。具体的には、設定部５８Ｍは、以下のように、印加手段５６Ｍの転写電圧値Ｖｂを設定する。
【００９２】
なお、イエロー（Ｙ）のトナー画像及び記録媒体Ｐの電荷量とは、イエロー（Ｙ）のトナー画像を構成する現像剤層（以下、イエロー現像剤層という）及び記録媒体Ｐの電荷量である。また、イエロー現像剤層及び記録媒体Ｐによって、マゼンタ（Ｍ）のトナー画像が転写される被転写層が構成される。
【００９３】
転写ロール５２Ｍの表面層及びマゼンタ（Ｍ）のトナー画像の合成静電容量とは、転写ロール５２Ｍの表面層及び、マゼンタ（Ｍ）のトナー画像を構成する現像剤層（以下、マゼンタ現像剤層という）の合成静電容量である。
【００９４】
そして、イエロー現像剤層及び記録媒体Ｐの電荷量Ｑｍは、第二表面電位計１２Ｍで測定された表面電位Ｖｍと、イエロー現像剤層及び記録媒体Ｐの合成静電容量Ｃｍと、に基づき求められる（図１０参照）。具体的には、電荷量Ｑｍは、式（１）によって求められる。
【００９５】
Ｑｍ＝Ｃｍ×Ｖｍ・・・式（１）
【００９６】
合成静電容量Ｃｍは、記録媒体Ｐの静電容量Ｃｆとイエロー現像剤層の静電容量Ｃｔ１とに基づき求められる（図１０参照）。具体的には、合成静電容量Ｃｍは、式（２）によって求められる。
【００９７】
１／Ｃｍ＝１／Ｃｆ＋１／Ｃｔ１・・・式（２）
【００９８】
イエロー現像剤層の静電容量Ｃｔ１は、記憶部（図示省略）に記憶されており、既知となっている。当該記憶部から設定部５８Ｍが、イエロー現像剤層の静電容量Ｃｔ１の情報を取得する。
【００９９】
記録媒体Ｐの静電容量Ｃｆは、記録媒体Ｐの種類と対応させると共に予めテーブル化して記憶部（図示省略）に記憶されている。記録媒体Ｐの種類の入力（手入力、記録媒体Ｐ上に付された識別符号の読取り等）によって、記録媒体Ｐの種類に対応する静電容量Ｃｆがテーブルから読み出されて、設定部５８Ｍが静電容量Ｃｆの情報を取得する。
【０１００】
なお、記録媒体Ｐの搬送経路の表裏面に金属板を配置して、記録媒体Ｐを挟んで予め定められた電圧を印加し、流れた電荷量を検出することで静電容量Ｃｆを計測して、当該静電容量Ｃｆを設定部５８Ｍが、取得するようにしてもよい。この場合は、既知の面積の電極対で記録媒体Ｐを挟み、検出された電荷量を印加電圧で除することで、記録媒体Ｐの静電容量Ｃｆが求められる。
【０１０１】
さらに、第一表面電位計１１Ｍで測定された表面電位Ｖｄと、転写ロール５２Ｍの表面層及びマゼンタ現像剤層の合成静電容量Ｃｄと、に基づき、次に記録媒体Ｐへ転写されるマゼンタ現像剤層（マゼンタ（Ｍ）のトナー画像）の電荷量Ｑｄを求める（図１０参照）。具体的には、電荷量Ｑｄは、式（３）によって求められる。
【０１０２】
Ｑｄ＝Ｃｄ×Ｖｄ・・・式（３）
【０１０３】
合成静電容量Ｃｄは、マゼンタ現像剤層の静電容量Ｃｔと転写ロール５２Ｍの表面層の静電容量Ｃｃとに基づき求められる（図１０参照）。具体的には、合成静電容量Ｃｄは、式（４）によって求められる。
【０１０４】
１／Ｃｄ＝１／Ｃｔ＋１／Ｃｃ・・・式（４）
【０１０５】
なお、マゼンタ現像剤層の静電容量Ｃｔと、転写ロール５２Ｍの表面層の静電容量Ｃｃとは記憶部（図示省略）に記憶されており、既知となっている。当該記憶部から設定部５８Ｍが、マゼンタ現像剤層の静電容量Ｃｔと、転写ロール５２Ｍの表面層の静電容量Ｃｃとの情報を取得する。
【０１０６】
そして、イエロー現像剤層と記録媒体Ｐとで構成される被転写層の表面に誘起される誘起電荷量Ｑｐが、被転写層の電荷量Ｑｍと、被転写層に転写されるマゼンタ現像剤層の電荷量Ｑｄの和以上となるように、転写ロール５２Ｍとバックアップロール５４との間に印加する転写電圧値Ｖｂを設定する。
【０１０７】
具体的には、誘起電荷量Ｑｐは、式（５）によって求められる。具体的には、転写電圧値Ｖｂは、式（６）によって求められる。なお、式（６）におけるＶｂは、下限値である。また、下記のＶｐは、分圧による記録媒体Ｐにおける電位であり、転写電圧値Ｖｂの印加により、転写部における被転写層表面に誘起される電位である。
【０１０８】
Ｑｐ＝Ｃｍ×Ｖｐ＝Ｑｍ＋Ｑｄ・・・式（５）
【０１０９】
Ｖｂ＝Ｖｐ／（Ｃｄ／（Ｃｍ＋Ｃｄ））
＝（Ｑｍ＋Ｑｄ）×（Ｃｍ＋Ｃｄ）／（Ｃｍ×Ｃｄ）・・・式（６）
【０１１０】
そして、Ｖｂ≧（Ｑｍ＋Ｑｄ）×（Ｃｍ＋Ｃｄ）／（Ｃｍ×Ｃｄ）となるように、転写電圧値Ｖｂを設定する。
【０１１１】
さらに、設定部５８Ｋにおいても、設定部５８Ｍの場合と同様に、記録媒体Ｐに転写されたイエロー（Ｙ）、マゼンタ（Ｍ）及びシアン（Ｃ）のトナー画像（イエロー現像剤層、マゼンタ現像剤層及びシアン現像剤層）及び記録媒体Ｐの電荷量Ｑｍと、次に記録媒体Ｐへ転写されるブラック（Ｋ）のトナー画像（ブラック現像剤層）の電荷量Ｑｄと、に基づき印加手段５６Ｋの転写電圧値を設定する。この電荷量Ｑｄは、第一表面電位計１１Ｋで測定された表面電位Ｖｄと、転写ロール５２Ｋの表面層及びブラック（Ｋ）のトナー画像（ブラック現像剤層）の合成静電容量Ｃｄと、に基づき求められる。
【０１１２】
なお、ブラック（Ｋ）のトナー画像が転写される被転写層は、イエロー現像剤層、マゼンタ現像剤層及びシアン現像剤層と記録媒体Ｐとで構成されるため、設定部５８Ｋでは、イエロー現像剤層、マゼンタ現像剤層及びシアン現像剤層と記録媒体Ｐとの電荷量Ｑｍを求める。
【０１１３】
イエロー現像剤層、マゼンタ現像剤層及びシアン現像剤層と記録媒体Ｐとの電荷量Ｑｍは、第二表面電位計１２Ｋで測定された表面電位Ｖｍと、イエロー現像剤層、マゼンタ現像剤層及びシアン現像剤層と記録媒体Ｐとの合成静電容量Ｃｍと、に基づき求められる。具体的には、電荷量Ｑｍは、式（１）によって求められる。
【０１１４】
Ｑｍ＝Ｃｍ×Ｖｍ・・・式（１）
【０１１５】
合成静電容量Ｃｍは、記録媒体Ｐの静電容量Ｃｆとイエロー現像剤層の静電容量Ｃｔ１とマゼンタ現像剤層の静電容量Ｃｔ２とシアン現像剤層の静電容量Ｃｔ３とに基づき求められる。具体的には、合成静電容量Ｃｍは、式（２−１）によって求められる。
【０１１６】
１／Ｃｍ＝１／Ｃｆ＋１／Ｃｔ１＋１／Ｃｔ２＋１／Ｃｔ３・・・式（２−１）
【０１１７】
シアン現像剤層の静電容量Ｃｔ３は、イエロー現像剤層の静電容量Ｃｔ１及びマゼンタ現像剤層の静電容量Ｃｔ２と同様に、記憶部（図示省略）に記憶されており、既知となっている。当該記憶部から設定部５８Ｋが、イエロー現像剤層の静電容量Ｃｔ１、マゼンタ現像剤層の静電容量Ｃｔ２及びシアン現像剤層の静電容量Ｃｔ３の情報を取得する。
【０１１８】
そして、イエロー現像剤層、マゼンタ現像剤層及びシアン現像剤層と記録媒体Ｐとで構成される被転写層の表面に誘起される誘起電荷量Ｑｐが、被転写層の電荷量Ｑｍと、被転写層に転写されるブラック現像剤層の電荷量Ｑｄの和以上となるように、転写電圧値Ｖｂを設定する。
【０１１９】
（第二実施形態に係る作用）
本実施形態に係る画像形成装置２００によれば、前述のように、設定部５８Ｍは、記録媒体Ｐに転写されたイエロー（Ｙ）のトナー画像及び記録媒体Ｐの電荷量と、第一表面電位計１１Ｍで測定された表面電位と、転写ロール５２Ｍの表面層及びマゼンタ（Ｍ）のトナー画像の合成静電容量と、に基づき、印加手段５６Ｍの転写電圧値を設定する。
【０１２０】
具体的には、イエロー現像剤層と記録媒体Ｐとで構成される被転写層の表面に誘起される誘起電荷量Ｑｐが、被転写層の電荷量Ｑｍと、被転写層に転写されるマゼンタ現像剤層の電荷量Ｑｄの和以上となるように、転写電圧値Ｖｂを設定する。
【０１２１】
さらに、設定部５８Ｋにおいても、同様に、イエロー現像剤層、マゼンタ現像剤層及びシアン現像剤層と記録媒体Ｐとで構成される被転写層の表面に誘起される誘起電荷量Ｑｐが、被転写層の電荷量Ｑｍと、被転写層に転写されるブラック現像剤層の電荷量Ｑｄの和以上となるように、転写電圧値Ｖｂを設定する。
【０１２２】
以上のように、転写ユニット５０Ｙに対する下流側の各転写ユニット５０Ｍ、５０Ｋにおいて、各設定部５８Ｍ、５８Ｋが被転写層の電荷量Ｑｍを考慮して転写電圧値Ｖｂを設定するので、転写電圧の印加により帯電した記録媒体Ｐの表面電位分を上乗せした転写電圧が印加される。
【０１２３】
これにより、転写ユニット５０Ｙに対する記録媒体Ｐの搬送方向下流側に配置された転写ユニット５０Ｍ、５０Ｋにおいても、画像濃度が低下することなく、画像濃度が目標値よりを上回る。この結果、記録媒体Ｐに転写されるトナー画像の転写不良が抑制される。
【０１２４】
このように、転写ユニット５０Ｍ、５０Ｋにおいて、各設定部５８Ｍ、５８Ｋが転写電圧値Ｖｂを設定するので、転写ユニット５０Ｍ、５０Ｋの１つのみにおいて設定部５８が転写電圧値を設定する場合に比べ、各転写ユニット５０における転写不良が抑制される。
【０１２５】
また、画像形成装置１０では、各設定部５８Ｍ、５８Ｋが、記録媒体Ｐに転写されるトナー画像の現像剤層の電荷量Ｑｄを考慮して転写電圧値Ｖｂを設定するので、被転写層の電荷量Ｑｍのみに基づき転写電圧値Ｖｂを設定する場合に比べ、最適な転写電圧値Ｖｂが設定される。この結果、記録媒体Ｐに転写されるトナー画像の転写不良が抑制される。
【０１２６】
さらに、画像形成装置１０では、前述のように、第二表面電位計１２Ｍ、１２Ｋで測定された表面電位Ｖｍを用いて、被転写層の電荷量Ｑｍが求められる。このように、実測による表面電位Ｖｍに基づいて被転写層の電荷量Ｑｍが求められるので、予め記憶された記憶情報のみを用いて被転写層の電荷量Ｑｍが求める場合に比べ、最適な転写電圧値Ｖｂが設定される。この結果、記録媒体Ｐに転写されるトナー画像の転写不良が抑制される。
【０１２７】
また、画像形成装置１０では、設定部５８Ｋにおいて、ブラック（Ｋ）のトナー画像が転写されるまでに、記録媒体Ｐに転写されたイエロー（Ｙ）、マゼンタ（Ｍ）及びシアン（Ｃ）のトナー画像（イエロー現像剤層、マゼンタ現像剤層及びシアン現像剤層）の電荷量に基づき、転写電圧値Ｖｂを設定する。このように、記録媒体Ｐに転写された複数のトナー画像の電荷量に基づき転写電圧値を設定するので、ブラック（Ｋ）のトナー画像の転写直前に、記録媒体Ｐに転写されたシアン（Ｃ）のトナー画像（シアン現像剤層）のみの電荷量に基づき、転写電圧値Ｖｂを設定する場合に比べ、転写不良が抑制される。
【０１２８】
また、画像形成装置１０では、第二表面電位計１２Ｍ、１２Ｋは、記録媒体Ｐの画像領域外に転写された測定用画像の表面電位Ｖｍを測定する。このため、記録媒体Ｐの画像領域に転写される要求画像とは関係なく、第二表面電位計１２Ｍ、１２Ｋの測定対象となる測定用画像が形成される。したがって、記録媒体Ｐの画像領域に転写された要求画像の表面電位を測定する場合に比べ、表面電位の測定の対象となる画像（測定用画像）を、例えば、大きさ、位置及び濃度などにおいて、測定に適合した画像として記録媒体Ｐに形成される。この結果、最適な転写電圧値Ｖｂが設定され、記録媒体Ｐに転写されるトナー画像の転写不良が抑制される。
【０１２９】
（変形例）
画像形成装置２００では、各設定部５８Ｍ、５８Ｋが、第二表面電位計１２Ｍ、１２Ｋで測定された表面電位Ｖｍを用いて、被転写層の電荷量Ｑｍを求めていたが、測定された表面電位Ｖｍを用いずに被転写層の電荷量Ｑｍを求める構成であってもよい。具体的には、例えば、以下のように構成される。すなわち、被転写層の電荷量Ｑｍを記録媒体Ｐの種類と対応させると共に予めテーブル化して記憶部（図示省略）に記憶する。そして、記録媒体Ｐの種類の入力（手入力、記録媒体Ｐ上に付された識別符号の読取り等）によって、記録媒体Ｐの種類に対応する電荷量Ｑｍをテーブルから読み出して、各設定部５８Ｍ、５８Ｋが、設定部５８Ｍが電荷量Ｑｍの情報を取得する。
【０１３０】
また、画像形成装置２００では、各第二表面電位計１２Ｍ、１２Ｋは、記録媒体Ｐの画像領域外に転写された測定用画像の表面電位Ｖｍを測定していたが、これに限られない。例えば、各第二表面電位計１２Ｍ、１２Ｋは、記録媒体Ｐの画像領域に転写された要求画像の表面電位を測定する構成であってもよい。この場合では、要求画像の画像データ等を参照して、記録媒体Ｐ上の測定位置を特定して、第二表面電位計１２Ｍ、１２Ｋが表面電位を測定する。
【０１３１】
また、画像形成装置２００は、４色のトナー画像形成部１４Ｙ〜１４Ｋを有していたが、これに限られない。画像形成装置としては、２色、３色又は、５色以上のトナー画像形成部を有する構成であってもよい。この場合、前述の合成静電容量Ｃｍは、記録媒体Ｐの静電容量Ｃｆと、これまでに記録媒体Ｐに転写されたｎ色分の画像（現像剤層）の静電容量Ｃｔ１、…Ｃｔｎとに基づき求められる。具体的には、合成静電容量Ｃｍは、式（２−２）によって求められる。
【０１３２】
１／Ｃｍ＝１／Ｃｆ＋１／Ｃｔ１＋…＋１／Ｃｔｎ・・・式（２−２）
【０１３３】
本発明は、上記の実施形態に限るものではなく、その主旨を逸脱しない範囲内において種々の変形、変更、改良が可能である。例えば、上記に示した変形例は、適宜、複数を組み合わせて構成してもよい。また、第一実施形態及び第二実施形態における変形例は、適宜、相互に適用してもよい。
【符号の説明】
【０１３４】
１０   画像形成装置
１１   第一表面電位計（測定部の一例）
１２   第二表面電位計（他の測定部の一例）
５２   転写ロール（保持体の一例）
５４   バックアップロール（転写部の一例）
５８   設定部
８１   第一帯電部（帯電部の一例）
８２   第二帯電部（他の帯電部の一例）
９０   印加部
【図１】
2019020480.tif 000003
【図２】
2019020480.tif 000004
【図３】
2019020480.tif 000005
【図４】
2019020480.tif 000006
【図５】
2019020480.tif 000007
【図６】
2019020480.tif 000008
【図７】
2019020480.tif 000009
【図８】
2019020480.tif 000010
【図９】
2019020480.tif 000011
【図１０】
2019020480.tif 000012